(57)【要約】      （修正有）【課題】遠赤外線の熱量を、がん細胞と正常細胞との間に顕著な差を設けて供給し、がん細胞のみを消滅させるようにしたがん治療器を提供する。【解決手段】遠赤外線ランプ６からの遠赤外線３を、がん細胞と正常細胞との間に十分な差異を設けて供給するために、凸レンズ７と金属スリット板９を設け、二つの遠赤外線ランプの角度調整により作られた交差収束部４を保持し、交差収束部を回転させ、かつ並行運動を同時に実施して、そこに作られた交差収束部の立体形状の中に、がん患部を包含し、数十分の温熱供給を行い、がん細胞を死滅させることを課題とする遠赤外線がん温熱治療器である。【選択図】図１
2017202274.tif 000002
【特許請求の範囲】
【請求項１】
がん細胞を温熱する遠赤外線を発する遠赤外線ランプ、その遠赤外線を収束する凸レンズ、凸レンズからの遠赤外線をさらに部分的に遮蔽する金属スリット板を有し、がん細胞の大きさに合わせてスリットから出てきた二つの光線を交差させ、その線状の交差収束部において、光源全体を回転させることにより交差収束部を回転させ、同時に光源全体を厚み方向に往復運動させることにより、交差収束部を立体形状の運動体とし、その中にがん細胞を包含し、温熱処理することを特徴とする遠赤外線がん温熱治療器
【発明の詳細な説明】
【技術分野】
【０００１】  本発明はがん細胞１５が、正常細胞１６に比較して熱に弱いという特質を持っているため、がん患者のがん細胞１５だけを遠赤外線３で加熱して、がん患者からがん細胞１５だけを選択的に温熱焼滅させることを目的とした、遠赤外線がん温熱治療器に関するものである。
【背景技術】
【０００２】  現在、ハイパーサーミア（温熱）によるがん治療器も一部実施されているが、現在行われているハイパーサーミア型がん治療器は、二つの電極間にがん患部１７および正常細胞１６を挟んで配置し、そこにラジオ波またはマイクロ波を流すことにより、電子レンジと同等の原理でがん患部１７を熱し、がん患部１７を死滅させて除去するという方法を採っている。【０００３】しかしながら、この方法では、がん患部１７にだけ熱が供給されるのではなく、電極間に挿入された正常細胞１６に対しても同等の熱が供給されることになる。正常細胞１６部分には血管が正常に配置されているため、加熱エネルギーを吸引排除するための十分な血流があり、それによって正常細胞１６はその加熱温度で損傷を受けないほどに加熱温度を十分下げることができ、結果的には、がん細胞１５だけが熱加熱の対象細胞とされるものである。【０００４】一方、がん患部１７の血管は、がん細胞１５の無理な増殖のため血管生成が不十分で冷却のための血流量が不足し、血流による温度調整がうまくいかず、そのためにがん細胞１５は４２．５度で加熱されるとやがて死滅し、正常細胞１６により体外に排出される。【０００５】ハイパーサーミアに用いるラジオ波は、ラジオ波ががん患部１７に集中するように、がん患部１７にラジオ波を吸引する金属片を挿入しなければならず、しかもがん細胞１５の十分な消滅には至っていない。【０００６】現在のハイパーサーミア型がん細胞治療器では、がん患部１７だけを選択的に加熱することができないため、その他の抗がん剤や放射線の併用を必要とし、抗がん剤は正常細胞１６をも攻撃するため、その副作用でがん患者が苦しむことが多く、副作用としては、脱毛、口内炎、吐き気、嘔吐、骨髄抑制などがあり、がん患者に予想以上の苦痛を与えている。一方、放射線治療の併用の場合は、十分注意していても正常細胞１６まで照射して、正常細胞１６に致命的障害を与えることが多く、またがん細胞１５の取り残しなどが起こり、十分な成果を上げることができなかった。【０００７】そのために現在のハイパーサーミアによるがん治療は、手術、放射線、抗がん剤の三大治療法と比較して、マイナーな治療法として考えられており、十分な効果を上げることが出来ず、二次的な効果しかないと評価され、ハイパーサーミアがん治療器を製造していた多くのメーカーが製造から撤退しており、現在は日本でわずか一社だけしか製造していないのが現状である。
【発明の概要】
【０００８】上述した通り、これまでのハイパーサーミアがん治療器では、一対の電極間に置いたがん細胞１５を加熱し、がん患部１７を加熱縮小、または加熱焼却して排除するものであったが、本発明は体内深くまで（約５〜６センチメートル）浸透する遠赤外線３を用いて、がん患者のがん患部１７のみに対して加熱用としての遠赤外線３を集中的に導入し、様々な方法を用いて正常細胞１６への加熱を厳しく制限するものであり、がん患者のがん細胞１５のみを温熱焼却して死滅させることを目的とし、それを発明の概要とする。
【発明が解決しようとする課題】
【０００９】従来のハイパーサーミアがん治療器は、二つの電極間にがん患部１５と正常細胞１６を一緒に加熱するという方法しかなかったが、本発明は、がん患部１７と正常細胞１６との間に適切な温度の差異を設け、その差異のために、加熱誘導または加熱障壁を加えることによって、正常細胞１６にはより少ない遠赤外線３を照射することとし、がん細胞１５にだけは、選択的に十分な加熱をすることとした、遠赤外線がん温熱治療器である。【００１０】また、従来の三大治療法の一つである放射線照射治療では、照射する場所の設定が極めて難しく、正常細胞への照射回避が極めて重要であるが、本発明は遠赤外線３という温和な加熱方法によるもので、がん患部１７を何度でも加熱できるという長所と、正常細胞１６部分への照射の誤差をある程度許容できるという長所も持っているため、多少の誤差を勘案しても、がん患部１７を何度でも照射できるという極めて効率的な治療法ということになる。また一方では、がん患部１７を幾つかに区分して、部分的に段階的に治療するという区分的治療も可能である。
【発明を解決するための手段】
【００１１】本発明は、がん消滅のための遠赤外線加熱装置として、遠赤外線ランプ６を二個、そこから発せられる遠赤外線３に対し、それぞれ凸レンズ７、金属スリット板９を持ち、がん患部１７と正常細胞１６との間に、遠赤外線３の照射量の差を歴然と設け、そのことを、発明を解決するための手段とする。
【００１２】遠赤外線３は、人体への透過力が十分にあり、本発明では、遠赤外線ランプ６を二個用いて、がん細胞１５を温熱するための熱量を各々１／２ずつ供給する。ランプを二つ用いるのは、二つのランプの交差収束部４を作成するためであり、交差収束部４においては、二つの遠赤外線ランプ６からの熱量が合成されるので、がん細胞１６を温熱するに必要な熱量１に達する。従って、作業光線の範囲として選択する交差収束部４の幅は、交差収束部４となる位置を選択するボタンを動かすことにより、がん細胞１５の幅寸法に交差収束部４を合わせることが出来る。
【００１３】上下二つの遠赤外線ランプ６から発せられた遠赤外線３は、まず凸レンズ７を用いてそれぞれの焦点１に収束する。凸レンズ７は遠赤外線ランプ６の前方に置き、遠赤外線ランプ６からの遠赤外線３を凸レンズ７の屈折効果によって焦点１に収束する。
【００１４】凸レンズ７によって屈折された遠赤外線３は、次に中央にスリット１４をもつ金属スリット板９に導かれる。この金属スリット板９は凸レンズ７から出てきた遠赤外線３を、さらに全体として１／１０ないし１／２０に減衰させ、がん患部１７に隣接する正常細胞１６への遠赤外線３の照射量を、厳格に縮小し減衰させるものである。凸レンズ７後の遠赤外線３は、その次の金属スリット板９により、スリット１４を透過した遠赤外線３はそのまま熱量１／２となり、スリット板９で赤外線３を透過できなかった部分は熱量が遮蔽されて熱量０となる。その減衰した二つの遠赤外線３を交差収束部４で合流させるので、スリット１４を透過した遠赤外線３は、結果的には交差収束部４で熱量１／２が二本合体収束され、二本の熱量が合算され交差収束部４では熱量１となる。
【００１５】一方、遠赤外線ランプ６からの遠赤外線３は、凸レンズ７によりそれぞれの焦点１に収束するが、当然凸レンズ７から離れるほど交差収束部４での熱量は凸レンズであるから増大する。逆に金属スリット９を通過した遠赤外線３の熱量は、そこからの距離によってわずかに減衰される。従って当初からこれらの特性を考慮して、交差収束部４の出力を調整することにより、交差収束部４への必要な温度４２．５度を維持することが出来る。
【００１６】二つの遠赤外線ランプ６からの交差収束部４の形状は、凸レンズ７、金属スリット９により遠赤外線３が収束され、まずスリット１４の長さに対応して線形形状となる。線形形状を一次元形状とすれば、その一次元形状を中心軸１１の周りに回転させることにより、円形形状の二次元形状となる。その二次元形状を、中心軸１１と並行にがん細胞の厚み８だけ往復運動させることにより円頭形をした三次元形状となる。この三次元形状内に、対象とするがん患部１５を包含し、温熱処理して焼却処分することが本発明の特長である。
【００１７】一方、がん患部１７は人体２の内部に存在するので、遠赤外線３が人体２を透過する間に、遠赤外線３の熱量は体表５から深くなるほど減衰する。その減衰程度は、人体２によく似た豚肉によって、体表５からがん患部１７の場所までの深度を事前に計測して減衰表を作成しておく。
【００１８】交差収束部４の交差位置は、がん患部１５の大きさで選択するので、がん患部１５の直径に対応するよう選択する。交差収束部４の幅の選択は、二つの遠赤外線ランプ６の中心軸１１に対する角度によって決定されるので、中心軸１１に向かって同等の傾斜角度で遠赤外線ランプ６が遠赤外線３を放射するよう、その角度を二つのランプに連携した一つのボタンで調整する。
【００１９】交差収束部４の幅の調整は、まず体表５面上で仮決定する。つまり目には見えない遠赤外線３よりも、波長の短い、目で見える赤色の光線を体表５面に当て、目視的に幅を仮決定する。遠赤外線３は赤の光線よりも波長が長いので、赤よりも若干波長が長い部分が交差収束部４となる。その仮決定した交差収束部４において、その遠赤外線３の交差収束部４の温度を体表５面でまず４２．５度に調整する。
【００２０】その、４２．５度の交差収束部４を、患者のがん患部１７の位置が、体表５からどれだけの深さにあるかを事前に計測しておき、その位置まで、照射装置全体を中心軸１１に沿って体内のがん患部１５最奧まで挿入する。このとき、体表５で４２．５度であったものが、照射装置全体を動かしてがん患部１７の最奧まで挿入させることにより、通過する肉体の厚みにより人体２に挿入された交差収束部４の温度は、体内に深くなるほど次第に低下する。
【００２１】この低下した温度を再度４２．５度に設定しなおすために、深さに応じて遠赤外線ランプ６の電圧を上げて微調整を行う。このときの参考データは、前述した通り、事前に豚肉によって計測したデータを参考にする。
【００２２】がん患部１５の最奧に設定した交差収束部４は、スリット１４幅に制御された線形の収束部であるので、その線形交差収束部４を中心軸１１の周りに円運動させることにより、面としての交差収束部４に変更可能である。
【００２３】この二次元形状による円盤状の交差収束部４によって、がん患部１７全体を包含するために、光源全体をがん患部の厚み１８と同等の厚みで中心軸１１を中心として光源全体を往復運動することにより、面であった交差収束部４が立体形状の交差収束部４となり、がん患部１７全体を立体として包含し照射することができる。回転運動と往復運動は治療時に同時に行う。
【００２４】この時の往復運動に対しては、遠赤外線ランプ６への電圧を、体表から深ければ高く、浅ければ弱く上下させることによって、交差収束部４を、深さに関係なく一定温度４２．５度に保つことができる。その電圧調整は自動的に行う。
【００２５】ここでいう光源とは、二つの遠赤外線ランプ６、ランプを保持する二つのホールダー１０、二つの凸レンズ７、二つの金属スリット板９、体表からの深度を決める深度調節板、光源を回転させる駆動系モーター、光源を患部の厚みに従って往復運動させる駆動系モーターを保持したもの全体をいう。回転運動および往復運動のモーターに対する電力は摺動電極で制御する。
【００２６】これまでのハイパーサーミアでは、電極の間に挟んだ人体２を通してがん患部１７及び正常細胞１６部を同時に同じ条件で加熱するために、がん患部１７だけを選択的にうまく加熱することができなかったが、本発明は二つの遠赤外線ランプ６と、その光を収束する二つの凸レンズ７と、その光線を９割以上完全に遮蔽する金属スリット板９によって、交差収束部４への光線を効率良く制限することにより、より効果的ながん患部１７への加熱を実現したものである。交差収束部４の熱量を１とすれば、それ以外の部分は熱量は０となり、十分な温度差が認められる。
【発明の効果】
【００２７】従来のハイパーサーミア方式のがん治療器は、がん患部１７と正常細胞１６を同一温度での加熱する方式であったが、本発明はがん患部１７にのみ十分に交差収束部４を当てて加熱することができるようにし、正常細胞１６にはその集光熱量を０として、がん細胞１５へのみ集光熱量を１（４２．５度）にしたものである。
【００２８】つまり、がん患部１７のまわりの正常細胞１６に対しては、凸レンズ７で屈折上昇した熱量を、金属スリット板９により、がん患部１７への熱量を歴然と明確にし、がん細胞１５に当てる熱量を１とすれば、正常細胞１６部分に当てる熱量は０にしたものである。
【００２９】がん患部１７に対する三大治療方式の一つである手術は、転移を恐れるためにがん患部１７だけでなく、その周囲まで予防的に摘出し、切開、切除、出血、縫い合わせ、接合、抜糸、輸血、正常組織の機能喪失、他臓器での機能代替、リハビリなど様々な侵襲的苦痛を与え、転移予防のために、正常部位に対して破壊的手術さえも強要するものである。
【００３０】三大治療方式の一つであるもう一つの放射線によるがん細胞１７照射治療は、正常細胞１６に対する異常照射の制限などがあり、しばしば正常細胞１６も同時に照射することが多く、それに対して正常細胞１６には放射線の限界リミットが常に存在しており、正常細胞１６を損傷する危険性が大きい。
【００３１】また、三大治療方式の一つである最後の抗がん剤治療は、抗がん剤として認可されている薬剤のうち、効果のあるものは１〜２割程度しかなく、むしろ抗がん剤による苦痛の方が大きく、抗がん剤を用いることによって脱毛、嘔吐、口内炎、食欲不振、骨髄抑制などの副作用がおこり、がん患者をきわめて厳しい苦痛の状態に追いやることが多い。
【００３２】本発明はがん患部１７に対して何度も照射することができ、４２．５度程度の温和な照射であり、がん患部１７に冷却用の血管が造成されることを防止するために、週一回くらいの間隔で照射すればよい。また転移が確認されても転移部位に本発明の遠赤外線３を照射すればよく、転移後の治療も簡単に実施することができる。
【発明を実施するための形態】
【００３３】本発明で用いる遠赤外線ランプ６は市販のランプを簡単に入手可能である。同様に金属スリット板９も簡単に入手でき、スリット１４をその上に簡単に加工することができる。
【００３４】放射線照射では、人体２の中でのがん患部１５の位置決めが重要な課題である。しかしながら本発明での位置決めは、がん患部１５に４２．５度の遠赤外線３を注ぐだけでよく、誤差により正常細胞１６部を照射しても、正常細胞１６の血流が十分であるので正常細胞１６を傷つけることはない。従って本発明での位置決めは、照射誤差があったとしても十分に許容範囲内に収めることができる。
【００３５】また、前立腺がんのように、がん患部１７が正常細胞１６部分を内部に含んだがんに対しては、がん患部１７を個々に分解して個別に部分照射していけばよく、本発明では、何度でも部分照射が可能であるから、繰り返しの治療で正常細胞１６を傷つけることはない。
【００３６】本発明を効果的に使用するには、交差収束部４とがん細胞１５までの距離を許容できる十分余裕のある先端部分、治療中に光源を回転させる回転運動と、中心軸１１と並行に往復運動を同時に制御する制御機構を可能とする機構が必要であり、患者の人体２を固定できるベッド、熱源をベッドに固定して保持する熱源ホールダー、交差収束部４を４２．５度に保持する電圧調整つまみ、３０分〜６０分の連続治療を可能とする自動電圧制御機構を一体とする熱源が必要である。本発明の稼働中は熱源の回転運動と往復運動は同時に起動される。
【００３７】がん患部１７としては、がん患部１７を冷却しやすい空気層をもつ肺がんや、多量の血流のある肝臓がんがあるが、このような部分に対しては正常細胞１６への冷却も同時に大きく、交差収束部４の設定温度を４２．５度以上にしても正常細胞１６を損傷することはない。
【図面の簡単な説明】
【００３８】
【図１】  人体の内部にあるがん細胞を遠赤外線がん温熱治療器で治療している図
【図２】  遠赤外線ランプからの光線を、凸レンズ、金属スリットを通して、正常細胞への投下光線量を遮蔽している図
【図３】  がん患部の奧に交差収束部を設定してがん患部を往復摺動する図
【符号の説明】
【００３９】１      焦点
２      人体
３      遠赤外線
４      交差収束部
５      体表
６      遠赤外線ランプ
７      凸レンズ
８      がん患部の厚み
９      金属スリット板
１０    ランプホルダー
１１    中心軸
１２    回転運動
１３    厚み方向運動
１４    スリット
１５    がん細胞
１６    正常細胞
１７    がん患部
【図１】
2017202274.tif 000003
【図２】
2017202274.tif 000004
【図３】
2017202274.tif 000005